(57)【要約】【課題】喫煙空間の出入口から外部に流れる空気を低減することができる分煙装置を提供する。【解決手段】禁煙区域と喫煙区域とを分割すべき空間に設置可能な分煙装置１Ａであって、内部に喫煙区域としての喫煙空間を画成し、上面が開口されるとともに、側方に出入口を形成して喫煙空間の側方を包囲する側壁部１０と、内部に吸煙空間を画成するように形成され、吸気口が底面に設けられ、底面が側壁部１０の上面を構成するように側壁部の上方に配置される吸煙部２０と、吸煙部内に収容され、吸気口を介して、喫煙空間から吸煙空間へ空気を吸引する第１吸気部２１と、側壁部１０の上方から空気流を噴出し、出入口において喫煙空間と喫煙空間の外部との間にエアカーテンを形成する送風部４０とを備える。【選択図】図１
2020172799.tif 000002
【特許請求の範囲】
【請求項１】
禁煙区域と喫煙区域とを分割すべき空間に設置可能な分煙装置であって、
内部に前記喫煙区域としての喫煙空間を画成し、上面が開口されるとともに、側方に出入口を形成して前記喫煙空間の側方を包囲する側壁部と、
内部に吸煙空間を画成するように形成され、吸気口が底面に設けられ、該底面が前記側壁部の上面を構成するように側壁部の上方に配置される吸煙部と、
前記吸煙部内に収容され、前記吸気口を介して、前記喫煙空間から前記吸煙空間へ空気を吸引する第１吸気部と、
前記側壁部の上方から空気流を噴出し、前記出入口において前記喫煙空間と該喫煙空間の外部との間にエアカーテンを形成する送風部と
を備える分煙装置。
【請求項２】
禁煙区域と喫煙区域とを分割すべき空間に設置可能な分煙装置であって、
内部に前記喫煙区域としての喫煙空間を画成し、上面が開口されるとともに、側方に出入口を形成して前記喫煙空間の側方を包囲する側壁部と、
内部に吸煙空間を画成するように形成され、吸気口が底面に設けられ、該底面が前記側壁部の上面を構成するように側壁部の上方に配置される吸煙部と、
前記吸煙部内に収容され、前記吸気口を介して、前記喫煙空間から前記吸煙空間へ空気を吸引する第１吸気部と、
可撓性を有するシート状の部材により形成され、前記出入口において前記喫煙空間と該喫煙空間の外部との間を、喫煙者が出入り可能に間仕切る間仕切り部と
を備える分煙装置。
【請求項３】
前記間仕切り部は、前記分煙装置の設置面から所定距離だけ前記喫煙空間と該喫煙空間の外部とを連通させるように、前記喫煙空間と該喫煙空間の外部とを間仕切ることを特徴とする請求項２に記載の分煙装置。
【請求項４】
前記喫煙空間において垂直方向に延在する垂直流路を更に備え、該垂直流路の上方側一端は前記吸煙空間と連通され、前記垂直流路の下方側一端には前記喫煙空間の空気を吸引して前記垂直流路に排出する第２吸気部が設けられることを特徴とする請求項１〜請求項３のいずれか一項に記載の分煙装置。
【発明の詳細な説明】
【技術分野】
【０００１】
本発明は、公共、私設の場所や施設等を禁煙区域と喫煙区域とに分割する分煙対策のための装置に関するものである。
【背景技術】
【０００２】
近年、公共、私設の場所や施設等を禁煙区域と喫煙区域とに分割するための分煙対策が推進され、この分煙対策の一環として分煙装置が用いられている。
【０００３】
例えば、特許文献１では、上面及び底面が開口された箱状に形成され、喫煙空間の側方を包囲する側壁部と、内部に清浄空間を画成するように箱状に形成され、側壁部の上方に配置される清浄部と、送風部と、送風部により清浄空間が降圧されて吸気口から上方の清浄空間へ吸引される空気を清浄するフィルタ部と、排気口の下方に位置するように側壁部の内壁に設けられ、排気口から排出された空気を吸気口側へ案内する第１案内部と、吸気口の下方に位置するように側壁部の内壁に設けられ、第１案内部により案内された空気を吸気口へ案内する第２案内部とを備える分煙装置、が提案される。
【０００４】
喫煙者が喫煙するための喫煙空間を画成する分煙装置には、喫煙者が出入りするための出入口が形成され、喫煙空間内における喫煙により生じる煙は主に上方において吸引されるが、近年は、受動喫煙の危険性が周知されるとともに、喫煙による臭気が実害として広く認知されているため、喫煙時には出入口に設けられたドアを閉鎖状態とすることが求められている。
【先行技術文献】
【特許文献】
【０００５】
【特許文献１】特開２０１７−９６５６２号公報
【発明の概要】
【発明が解決しようとする課題】
【０００６】
しかしながら、喫煙者が喫煙空間に出入りする際には、ドアを開放状態とする必要があり、この際、喫煙空間内の空気は出入口全体から外部に流れてしまう、という問題があった。
【０００７】
本発明は、上述した問題点を解決するためになされたものであり、喫煙空間の出入口から外部に流れる空気を低減することができる分煙装置を提供することを目的とする。
【課題を解決するための手段】
【０００８】
上記課題を解決するために、本発明の一態様は、禁煙区域と喫煙区域とを分割すべき空間に設置可能な分煙装置であって、内部に前記喫煙区域としての喫煙空間を画成し、上面が開口されるとともに、側方に出入口を形成して前記喫煙空間の側方を包囲する側壁部と、内部に吸煙空間を画成するように形成され、吸気口が底面に設けられ、該底面が前記側壁部の上面を構成するように側壁部の上方に配置される吸煙部と、前記吸煙部内に収容され、前記吸気口を介して、前記喫煙空間から前記吸煙空間へ空気を吸引する第１吸気部と、前記側壁部の上方から空気流を噴出し、前記出入口において前記喫煙空間と該喫煙空間の外部との間にエアカーテンを形成する送風部とを備える。
【０００９】
また、本発明の一態様は、禁煙区域と喫煙区域とを分割すべき空間に設置可能な分煙装置であって、内部に前記喫煙区域としての喫煙空間を画成し、上面が開口されるとともに、側方に出入口を形成して前記喫煙空間の側方を包囲する側壁部と、内部に吸煙空間を画成するように形成され、吸気口が底面に設けられ、該底面が前記側壁部の上面を構成するように側壁部の上方に配置される吸煙部と、前記吸煙部内に収容され、前記吸気口を介して、前記喫煙空間から前記吸煙空間へ空気を吸引する第１吸気部と、可撓性を有するシート状の部材により形成され、前記出入口において前記喫煙空間と該喫煙空間の外部との間を、喫煙者が出入り可能に間仕切る間仕切り部とを備える。
【発明の効果】
【００１０】
本発明によれば、喫煙空間の出入口から外部に流れる空気を低減することができる分煙装置を実現できる。本発明のその他の効果については、以下の発明を実施するための形態の項でも説明する。
【図面の簡単な説明】
【００１１】
【図１】第１の実施形態に係る分煙装置の構成を示す概略斜視図である。
【図２】第１の実施形態に係る分煙装置の構成を示す正面図ある。
【図３】第１の実施形態に係る側壁部の構成を示す横断面図である。
【図４】第１の実施形態に係る吸煙部の構成を示す横断面図である。
【図５】第２の実施形態に係る分煙装置の構成を示す概略斜視図である。
【図６】第２の実施形態に係る分煙装置の構成を示す正面図ある。
【図７】第２の実施形態に係る側壁部の構成を示す横断面図である。
【図８】第２の実施形態に係る吸煙部の構成を示す横断面図である。
【発明を実施するための形態】
【００１２】
以下、本発明の実施形態について図面を参照しつつ説明する。なお、以降に参照される各図においては、左右方向、前後方向、上下方向が、それぞれｘ軸、ｙ軸、ｚ軸として示される。
【００１３】
＜第１の実施形態＞
図１〜図４を参照して、本実施形態に係る分煙装置の構成を説明する。図１、図２は、それぞれ、本実施形態に係る分煙装置の構成を示す概略斜視図、正面図である。図３、図４は、それぞれ、側壁部、吸煙部の構成を示す横断面図である。この分煙装置には、喫煙者が出入りするための出入口が形成され、以降の説明において、出入口が形成される側を正面側とする。
【００１４】
図１及び図２に示すように、分煙装置１Ａは、禁煙区域と喫煙区域とを分割するべき室内、または室外において、地面、床面（以下、設置面と称する）に載置することにより設置されて喫煙区域としての喫煙空間を画成する。図１及び図２に示すように喫煙空間の側方を包囲する側壁部１０と、側壁部１０の上方に設けられた吸煙部２０と、一端が吸煙部２０に接続されるダクト３０とを備える。また、分煙装置１Ａは、全体として下側の底面が開口された直方体箱状に形成され、設置面に設置される。
【００１５】
図３に示すように、側壁部１０は、左右方向に対向する２つの側壁パネル１１，１２と、これら２つの側壁パネル１１，１２の後方一端を接続する後方の側壁パネル１３とを有し、これら３つの側壁パネルはいずれも距離Ｐ（図２参照）の高さに形成され、その横断面が前方に開放された略コの字形状を構成する（図３参照）。更に、側壁部１０は、後方の側壁パネルに対向する前方の側壁パネルとしてのドア１４及び遮蔽部１５（図２参照）を有し、側壁パネル１１，１２，１３及びドア１４及び遮蔽部１５によって、上面及び底面が開口された直方体箱状に構成されて、その内部に喫煙空間を画成する。
【００１６】
遮蔽部１５は、その高さが側壁パネル１１〜１３の上端から距離Ｃの高さに形成され（図２参照）、その幅方向端部が２つの側壁パネル１１，１２の前方一端に接続される。ドア１４は、その高さが遮蔽部１５の下端から距離Ｄだけ喫煙空間の前方を覆うように形成される。ここで、距離Ｃと距離Ｄとの合計距離は、距離Ｐより小さく形成され、これによって、側壁部１０は、側壁パネル１１〜１３の下端から距離Ｏの高さだけ側方に開口し、この開口によって喫煙空間は外部と連通する。
【００１７】
また、ドア１４は、蝶番１４１によって、その幅方向一端が、左右方向に対向する２つの側壁パネルのいずれかの前方一端に接続され、幅方向他端側において、前方側の面にドアハンドル１４ａ（図２、図３参照）を有するとともに、後方側の面にドアハンドル１４ｂ（図１、図３参照）を有する。ドアハンドル１４ａ，１４ｂは、喫煙者が喫煙空間内に出入りする際に、喫煙空間内または喫煙空間外からドア１４を開動作または閉動作させるための把持部として用いられる。また、ドア１４は、剛性が高い枠体にガラスやプラスチックなどにより形成された透明度を有する板状部材をはめ込んで構成されるものとする。
【００１８】
図４に示すように、吸煙部２０は、直方体の箱状に構成されて内部に吸煙空間を画成し、吸煙空間内に後述する第１吸気装置２１を収容する。吸煙部２０の底面には吸気口２０１が形成され、この吸気口２０１上に第１吸気装置２１が載置される。また、吸煙部２０の上面にはダクト開口２０２（図１参照）が形成され、このダクト開口２０２に喫煙による煙を外部へ排出するためのダクト３０の一端が接続される。吸煙部２０は、その底面が側壁部１０の上面を構成するように側壁部１０の上方に配置され、吸煙部２０の底面、側壁部１０、接地面によって前方に開口された喫煙空間が画成される。
【００１９】
喫煙空間は、吸気口２０１によって吸煙空間と連通される。第１吸気装置２１は、喫煙空間の空気を吸引して吸煙空間に排出する装置であり、本実施形態においてはシロッコファンとして構成される。吸煙空間に吸引された空気はダクト３０を介して外部へ排出される。例えば、分煙装置１Ａが室内に設置される場合、ダクト３０は室外へ空気を排出するように構成される。
【００２０】
吸煙空間内には、喫煙空間の前方、吸気口４１から吸引した空気を送風口４２から噴出する送風装置４０が収容される。吸気口４１は送風装置４０の前方側に形成され、送風口４２は送風装置４０の底面において左右方向に長尺なスリット状に形成される。送風装置４０は、送風口４２からの空気の噴出により生じる空気流によって、側壁部１０における前方に開放された部分、即ち、分煙装置１Ａの出入口を閉塞するような空気流の幕（エアカーテン）を形成する。この送風装置４０は、例えば、クロスフローファンとして構成される。
【００２１】
図１、図４に示すように、吸煙部２０の前面には送風装置４０の吸気口４１に対応する開口部２０３が形成され、吸煙部２０の底面における前端部分には送風装置４０の送風口４２に対応し、左右方向に長尺な開口部２０４が形成される。送風装置４０によれば、側壁部１０の前方に形成された出入口を覆うエアカーテンが形成される。送風装置４０は、吸煙空間外の空気を吸気口４１から吸引して送風口４２から噴出するため、送風装置４０によれば喫煙臭がないエアカーテンが形成される。なお、このエアカーテンは、ドア１４よりも喫煙空間側において形成されるものとする。
【００２２】
喫煙空間内には、喫煙空間内の背面に沿って垂直方向に延びる垂直流路ＶＦが形成される。この垂直流路ＶＦは、図３に示すように、側壁パネル１１，１２，１３、及び隔壁パネル１６によって、上下が開口し、上方から見て左右方向に長尺な断面矩形の流路として形成される（図１、図３参照）。隔壁パネル１６は、上下方向及び左右方向に延在する板状の部材であり（図１参照）、喫煙空間内において、側壁パネル１３と平行するように、その左右端が互いに対向する２つの側壁パネル１１，１２に接続される。
【００２３】
このような垂直流路ＶＦの下方には、図１、図２に示すように、吸気口５１から吸引した空気を排気口５２から排出する第２吸気装置５０が設けられる。吸気口５１は、第２吸気装置５０の前方において、左右方向に長尺な開口として形成され、排気口５２は、第２吸気装置５０の上方において、垂直流路ＶＦに合わせた形状、例えば左右方向に長尺な開口として形成される。第２吸気装置５０は、吸気口５１が喫煙空間に露出するように、且つ、排気口５２が垂直流路ＶＦ内または垂直流路ＶＦの下方の開口と接続されるように、喫煙空間内に配される。
【００２４】
図４に示すように、吸煙部２０の底面には、垂直流路ＶＦの上方の開口に対応する開口部２０５が形成され、この開口部２０５を介して、垂直流路ＶＦと吸煙空間とが連通される。これによって、第２吸気装置５０により吸引される喫煙空間内の空気は吸煙空間内に排気される。
【００２５】
送風装置４０により喫煙空間の上方から噴出されるエアカーテンは下方側ほど風圧が弱くなるため、分煙装置１Ａの出入口の下方側ほどドア１４が開放された状態における分煙能力が低くなる。第２吸気装置５０がエアカーテンの下方側において喫煙空間の空気を吸引することによって、図１に示すように、エアカーテンの下方が喫煙空間側に引き込まれるような空気流が生じ、エアカーテンの下方側においても分煙能力を高めることができる。
【００２６】
また、ドア１４が閉鎖された状態において、上述したように、分煙装置１Ａの出入口は下方において距離Ｏだけ開口される。これによって、ドア１４が閉鎖された状態における第１吸気装置２１による喫煙空間内の空気の吸引能力を高めることができる一方、喫煙空間の空気がドア１４の下方から外部に流れ得る。これに対し、図２に示すように、第２吸気装置５０の吸気口５１をドア１４の下端より下方に位置付けることによって、分煙能力を維持することができる。
【００２７】
＜第２の実施形態＞
図５〜図８を参照して、本実施形態に係る分煙装置の構成を説明する。図５、図６は、それぞれ、本実施形態に係る分煙装置の構成を示す概略斜視図、正面図である。図７、図８は、それぞれ、本実施形態に係る側壁部、吸煙部の構成を示す横断面図である。
【００２８】
図５、図６に示すように、本実施形態に係る分煙装置１Ｂは、送風装置４０に代えて間仕切り部６０を備える点、垂直流路ＶＦに代えて２つの垂直流路ＶＦ２ａ，ＶＦ２ｂが形成されるとともに、第２吸気装置５０に代えて２つの第２吸気装置７０ａ，７０ｂを備える点において、第１の実施形態に係る分煙装置１Ａとは異なる。また、これらの差異に伴って、吸煙部２０の構成が一部異なる。以下、分煙装置１Ｂの構成について、分煙装置１Ａとは異なる点についてのみ説明し、同様の構成については説明を省略する。
【００２９】
間仕切り部６０は、出入口において喫煙空間を喫煙者が出入り可能に外部から間仕切るものであり、本実施形態においては２つのシート状部材６０ａ，６０ｂを有する。これらのシート状部材６０ａ，６０ｂのそれぞれは、例えばポリ塩化ビニールや樹脂のような可撓性を有する素材をシート状に形成したものであり、その上端が遮蔽部１５の下端に設けられた支持部６０１(図５参照)により吊り下げ支持される。なお、間仕切り部６０は、ドア１４よりも喫煙空間側において喫煙空間と外部から間仕切るように構成される。そのため、例えば、支持部６０１を遮蔽部１５の後方側に設けることが考えられる。
【００３０】
間仕切り部６０は、全体としてドア１４と同等の幅、高さに形成される。即ち、間仕切り部６０は、分煙装置１Ｂの出入口において、側壁パネル１１〜１３の下端から距離Ｏの高さだけ開口させるように喫煙空間と外部空間とを間仕切る（図６参照）。間仕切り部６０によれば、ドア１４が開放された状態における分煙能力の低下をより低コストで防止することができる。
【００３１】
なお、間仕切り部６０は、喫煙者が喫煙空間へ出入り可能に喫煙空間と外部空間とを間仕切るシート状の可撓性を有する部材であれば良く、例えば、１つのシート状部材に対して下方から垂直な切り込みを１つ以上形成したものや、３つ以上のシート状部材を有するものであっても良い。また、間仕切り部６０は、透過性を有することが望ましい。
【００３２】
２つの垂直流路ＶＦ２ａ，ＶＦ２ｂのそれぞれは、図５、図６に示すように、喫煙空間における垂直方向に延びる流路であって、後方側の隅角部に設けられ、上下に開口するパイプ部材１７ａ，１７ｂによって形成される。図７に示すように、パイプ部材１７ａ，１７ｂを後方側の隅角部に設けることによって、喫煙空間内のデッドスペースを有効的に活用することができる。
【００３３】
パイプ部材１７ａ，１７ｂのそれぞれの下方開口には吸気口７１から吸引した空気を排気口７２から排出する第２吸気装置７０ａ，７０ｂが設けられる。吸気口７１は、第２吸気装置７０ａ，７０ｂのそれぞれにおける前方に形成された開口であり、排気口７２は、第２吸気装置７０ａ，７０ｂのそれぞれにおける上方に形成された開口である。第２吸気装置７０ａ，７０ｂのそれぞれの吸気口７１は、第２吸気装置５０の吸気口５１と同様に、ドア１４の下端より下方に位置付けられる（図６参照）。
【００３４】
図８に示すように、吸煙部２０の底面には、垂直流路ＶＦ２ａ，ＶＦ２ｂのそれぞれの上方開口に対応する２つの開口部２０６ａ，２０６ｂが形成され、これらの２つの開口部２０６ａ，２０６ｂを介して、垂直流路ＶＦ２ａ，ＶＦ２ｂと吸煙空間とが連通される。これによって、第２吸気装置７０ａ，７０ｂにより吸引される喫煙空間内の空気は吸煙空間内に排気される。
【００３５】
なお、上述した２つの実施形態においては、喫煙空間の上方に形成された吸煙空間の空気を、ダクト３０を介して離間された空間に排出されるものとしたが、吸煙空間において喫煙空間から吸引された空気を清浄するようにしても良い。また、上述した２つの実施形態においては、送風装置４０と垂直流路ＶＦとを組み合わせ、間仕切り部６０と垂直流路ＶＦ２ａ，ＶＦ２ｂとを組み合わせたが、送風装置４０と垂直流路ＶＦ２ａ，ＶＦ２ｂ、または間仕切り部６０と垂直流路ＶＦとを組み合わせても良い。
【００３６】
本発明は、その要旨または主要な特徴から逸脱することなく、他の様々な形で実施することができる。そのため、前述の実施形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００３７】
１  分煙装置
１０  側壁部
２０  吸煙部
２１  第１吸気部
４０  送風部
【図１】
2020172799.tif 000003
【図２】
2020172799.tif 000004
【図３】
2020172799.tif 000005
【図４】
2020172799.tif 000006
【図５】
2020172799.tif 000007
【図６】
2020172799.tif 000008
【図７】
2020172799.tif 000009
【図８】
2020172799.tif 000010